(57)【要約】【課題】  選択した周波数帯域がレベル調整の対象とする周波数帯域なのかどうかを判別できるようにし、レベル調整の際の試行錯誤を減らすことができる「グラフィックイコライザ及びその調整方法」を提供すること。【解決手段】  イコライザ部と、操作部と、これら各部に対して信号の入出力を制御する制御部とを備えたグラフィックイコライザにおいて、オーディオソースから出力されたオーディオ信号の再生周波数帯域内に設定された複数の周波数帯域のうちいずれかの周波数帯域が選択されたときに（Ｓ２）、制御部からの制御に基づいてイコライザ部により、当該周波数帯域に含まれるオーディオ信号成分を抽出し、スピーカを通して一定時間音声出力する（Ｓ３）。その後、通常の音声出力に戻して（Ｓ４）、いずれかの周波数帯域についてレベル調整を行う（Ｓ５）。【選択図】  図５
2005175562.tif 000002
【特許請求の範囲】
【請求項１】
オーディオソースとスピーカの間に動作可能に接続されたイコライザ部と、
少なくとも周波数帯域を選択するための選択キーと、選択された周波数帯域のレベルを調整するための調整キーを備えた操作部と、
前記イコライザ部及び操作部に対して信号の入出力を制御する制御部とを具備し、
前記制御部は、前記オーディオソースから出力されたオーディオ信号の再生周波数帯域内に設定した複数の周波数帯域のうちいずれかの周波数帯域が選択されたときに、前記イコライザ部を制御して、当該周波数帯域に含まれるオーディオ信号成分を抽出させ、該抽出されたオーディオ信号成分のみを一定時間、前記スピーカを通して音声出力させることを特徴とするグラフィックイコライザ。
【請求項２】
前記制御部は、前記イコライザ部に対し、前記選択された周波数帯域から抽出されたオーディオ信号成分のみを音声出力させる処理と、前記複数の周波数帯域から抽出された全てのオーディオ信号成分を合成して音声出力させる処理とを交互に繰り返し行わせることを特徴とする請求項１に記載のグラフィックイコライザ。
【請求項３】
少なくとも前記選択キーの操作に関連した情報と前記調整キーの操作に関連した情報を画面を通して提供する表示部をさらに具備することを特徴とする請求項１に記載のグラフィックイコライザ。
【請求項４】
車両に搭載されたオーディオ装置と協働するように該オーディオ装置とは別体で設けられ、あるいは該オーディオ装置内に組み込まれていることを特徴とする請求項１に記載のグラフィックイコライザ。
【請求項５】
オーディオ再生周波数帯域内に設定された複数の周波数帯域のうちいずれかの周波数帯域が選択されたときに、当該周波数帯域に含まれるオーディオ信号成分を抽出し、該抽出したオーディオ信号成分のみをスピーカを通して音声出力する第１のステップと、
一定時間が経過した時に、前記複数の周波数帯域から抽出した全てのオーディオ信号成分を合成し、該合成されたオーディオ信号成分を前記スピーカを通して音声出力する第２のステップとを含み、
前記第１のステップ及び第２のステップを交互に繰り返す過程において選択されたいずれかの周波数帯域についてレベル調整を行うことを特徴とするグラフィックイコライザの調整方法。
【発明の詳細な説明】
【技術分野】
【０００１】
本発明はグラフィックイコライザに関し、より詳細には、オーディオソースから出力されたオーディオ信号を複数の周波数帯域に分割して各周波数帯域毎にレベルを調整し、調整後の各周波数帯域のオーディオ信号成分を合成してスピーカに供給するグラフィックイコライザ及びその調整方法に関する。
【背景技術】
【０００２】
従来知られているグラフィックイコライザは、オーディオ再生装置を構成するコンポーネントの１つとして、あるいは、ラジカセやミニコンポ、ヘッドホンステレオ、車載用オーディオ装置等に組み込まれて用いられている。グラフィックイコライザは、オーディオ再生周波数帯域内に複数の周波数帯域を設定し、各周波数帯域毎にゲインを上昇（ブースト）あるいは下降（カット）させることで、再生周波数帯域全体として所定の空間内（例えば、車載用であれば車室内）の音響特性を補正し、受聴者の好みに合う音質が得られるような周波数特性に補正するものである。
【０００３】
典型的なグラフィックイコライザでは、複数の周波数帯域のゲインの調整用にリニアスライド方式の可変抵抗器を用い、この可変抵抗器を各周波数帯域に合わせて操作パネルに配列し、つまみの位置で周波数特性を視覚的に表示可能な構成となっている。また、最近では、機械的につまみを操作する可変抵抗器に代えて、抵抗値を電子的に変化させることができる半導体集積回路による電子式可変抵抗器（「電子ボリューム」ともいう。）等が使用され、選択した周波数帯域（但し、その中心周波数）や各周波数帯域毎のレベル設定状態、周波数特性等を指示する情報は、液晶表示素子（ＬＣＤ）や発光ダイオード等を用いて表示するように構成されたものもある。
【０００４】
かかる従来のグラフィックイコライザでは、周波数特性を調整する場合、設定画面を見ながら周波数帯域を選択し、選択した各周波数帯域毎に個々にレベル調整を行い、全体としてユーザの好みに合う音質が得られるような周波数特性を得るようにしている。
【０００５】
上記の従来技術に関連する技術としては、例えば、予め間隔をおいて設定される複数の周波数帯域のレベルを変化させ、全体としての周波数特性の調整が可能なグラフィックイコライザ装置において、レベル調整に係る操作に応答し、予め定められている複数の周波数帯域のレベルを、各周波数帯域毎に予め定められている操作量との対応関係に従って変化させるようにしたものがある（例えば、特許文献１参照）。
【特許文献１】特開平１０−２６１９２８号公報
【発明の開示】
【発明が解決しようとする課題】
【０００６】
上述したように従来のグラフィックイコライザでは、周波数帯域の選択は設定画面を見ながら行うようにしているため、当然のことながら、どの周波数帯域を選択したかの確認は、設定画面を見なければ行うことができない。
【０００７】
また、設定画面を見たとしても、選択した周波数帯域の中心周波数（数値）が表示されているだけであり、この数値から当該帯域内のどのあたりの音が変化するのかを確実に判別できるユーザはごく少数であると思われる。例えば、図１に示すようにオーディオ再生周波数帯域内に８つの周波数帯域（Ｂａｎｄ１〜Ｂａｎｄ８）が設定されている場合を考えると、図示のように各周波数帯域と楽器等のオーディオソースの音域との対応関係を知っているユーザは少ない。このため、ほとんどのユーザは、実際にその選択した周波数帯域のレベルを変化させてみないと、当該帯域内のどのあたりの音が変化するのか実感できないと考えられる。そのようなユーザは、グラフィックイコライザの設定（各周波数帯域毎のレベル調整）の際に、ある程度の試行錯誤を強いられることになる。この試行錯誤に基づいたレベル調整は、ユーザにとっては煩わしい作業である。
【０００８】
このように従来のグラフィックイコライザでは、通常のユーザ（すなわち、オーディオ理論等についてあまり詳しい知識をもっていないユーザ）にとって、選択した周波数帯域がレベル調整の対象とする音域を含んでいるのかどうかを判別することは非常に困難であるといった課題があった。
【０００９】
特に、グラフィックイコライザが車載用オーディオ機器に組み込まれて用いられる場合には、車室の音響特性が車種等に応じて変わり易く、また乗車人員の配置や窓の開閉等によっても変わり易いため、調整の必要性はさらに大きくなり、その作業もより一層煩わしいものとなる。加えて、車両の走行中に設定画面を見ながらレベル調整を行うことは、安全性の面で好ましいとはいえない。
【００１０】
本発明は、かかる従来技術の課題に鑑み創作されたもので、選択した周波数帯域がレベル調整の対象とする周波数帯域なのかどうかを判別できるようにし、ひいてはレベル調整の際の試行錯誤を減らすことができるグラフィックイコライザ及びその調整方法を提供することを目的とする。
【課題を解決するための手段】
【００１１】
上記の従来技術の課題を解決するため、本発明によれば、オーディオソースとスピーカの間に動作可能に接続されたイコライザ部と、少なくとも周波数帯域を選択するための選択キーと、選択された周波数帯域のレベルを調整するための調整キーを備えた操作部と、前記イコライザ部及び操作部に対して信号の入出力を制御する制御部とを具備し、前記制御部は、前記オーディオソースから出力されたオーディオ信号の再生周波数帯域内に設定した複数の周波数帯域のうちいずれかの周波数帯域が選択されたときに、前記イコライザ部を制御して、当該周波数帯域に含まれるオーディオ信号成分を抽出させ、該抽出されたオーディオ信号成分のみを一定時間、前記スピーカを通して音声出力させることを特徴とするグラフィックイコライザが提供される。
【００１２】
本発明に係るグラフィックイコライザによれば、選択された周波数帯域に含まれるオーディオ信号成分のみが一定時間音声出力されるようになっているので、ユーザは、従来のように設定画面を見なくても、その音声を聴くことにより、自分が選択した周波数帯域を認識することができる。
【００１３】
また、その音声を聴くことで当該周波数帯域内のどのあたりの音声のレベルが変化するかを認識できるので、当該周波数帯域がレベル調整の対象とする音域を含んでいるのかどうかを判別し易くなる。これによって、従来技術に見られたようなレベル調整の際の試行錯誤を減らすことができる。これは、ユーザにとっては煩わしい作業の軽減に寄与するものである。
【００１４】
また、本発明の他の形態によれば、オーディオ再生周波数帯域内に設定された複数の周波数帯域のうちいずれかの周波数帯域が選択されたときに、当該周波数帯域に含まれるオーディオ信号成分を抽出し、該抽出したオーディオ信号成分のみをスピーカを通して音声出力する第１のステップと、一定時間が経過した時に、前記複数の周波数帯域から抽出した全てのオーディオ信号成分を合成し、該合成されたオーディオ信号成分を前記スピーカを通して音声出力する第２のステップとを含み、前記第１のステップ及び第２のステップを交互に繰り返す過程において選択されたいずれかの周波数帯域についてレベル調整を行うことを特徴とするグラフィックイコライザの調整方法が提供される。
【発明を実施するための最良の形態】
【００１５】
図２は本発明の一実施形態に係るグラフィックイコライザの構成を概略的に示したものである。本実施形態では、後述するように本発明を車載用オーディオ装置に適用した例を示している。
【００１６】
図示のように、本実施形態に係るグラフィックイコライザ１０は、マイクロコンピュータ等により構成された制御部１１と、イコライザ部１２と、操作部１３と、表示部１４とを備えており、イコライザ部１２、操作部１３及び表示部１４は、それぞれ制御部１１に動作可能に接続されている。また、操作部１３と表示部１４は、後述するように操作パネル１５の形態で一体化されて構成されている。
【００１７】
イコライザ部１２は、制御部１１からの制御に基づいて、オーディオソース１（ＣＤプレーヤ、ＤＶＤプレーヤ、ＡＭ／ＦＭチューナ、カセットテープデッキ等）から出力されたオーディオ信号を複数の周波数帯域に分割し、各周波数帯域毎にレベル（音量）を上昇あるいは下降させて調整した後、各周波数帯域のオーディオ信号成分を合成して１つのオーディオ信号を生成し、出力する。このイコライザ部１２は、例えば、電子的に調整可能な可変抵抗素子（電子ボリューム）と周波数帯域増幅器とを必要な周波数帯域の数だけ並列に接続して構成したり、デジタル信号プロセッサ（ＤＳＰ）によって構成することができる。このイコライザ部１２から出力されたオーディオ信号は、外部のアンプ２を通して増幅された後、スピーカ３に供給されて音声出力される。
【００１８】
また、操作部１３は、ユーザによる操作指示を入力するための各種の操作キーを備えており、少なくとも本発明に関連する操作キーとして、周波数帯域を選択するための選択キーと、選択された周波数帯域のレベルを調整するための調整キーを有している。また、表示部１４はＬＣＤ等により構成され、その表示画面には、制御部１１からの制御に基づいて、少なくとも上記の選択キーの操作に関連した情報（選択した周波数帯域もしくはその選択状態を示す情報）と調整キーの操作に関連した情報（各周波数帯域毎のレベルもしくはその設定状態を示す情報）が表示される。さらに、この表示部１４の画面には、オーディオソース１の動作状態や操作等に関連した情報（例えば、ＣＤを再生中のときは曲名、アーティスト名、トラック番号、演奏時間等、ラジオを受信中のときはラジオ局名や受信周波数等）を表示することも可能である。
【００１９】
図３は、本実施形態に係るグラフィックイコライザ１０を車載用オーディオ装置のヘッドユニットに適用した場合の操作パネル１５の正面から見た構成を概略的に示したものである。
【００２０】
図示のように、ヘッドユニットの操作パネル１５には、ＬＣＤ等の表示部１４と共に、操作部１３に含まれる各種の操作キーとして、通常のオーディオシステムに設けられているのと同等の操作キーが設けられている。すなわち、入力すべきオーディオ信号のソースを切替選択するためのソース選択キー（ＳＯＵＲＣＥ  ＰＯＷＥＲ）２１、選択されたソースのオーディオ周波数帯域を表示させるための周波数帯域表示キー（ＢＡＮＤ）２２、後方向キー２３及び前方向キー２４、表示部１４の表示内容を切り替えるための表示切替キー（ＤＩＳＰ）２５、グラフィックイコライザ１０を調整する際に表示部１４の画面を設定画面にするための調整モード設定キー（Ｇ．ＥＱ）２６、レベル調整に用いるジョグダイヤル２７、決められたジャンル（ポップス、ジャズ、クラシック等）の音楽を再生するのに好ましいと思われる音質にプリセットする際に用いるファンクションキー（Ｆ１〜Ｆ６）２８、ソースの記憶媒体を取り出すための取り出しキー２９等が設けられている。後方向キー２３及び前方向キー２４は、本発明に関連する機能として、表示部１４の画面に表示された複数の周波数帯域のうちいずれかの周波数帯域を選択する際に用いられる。例えば、図１に例示したように８つの周波数帯域（Ｂａｎｄ１〜Ｂａｎｄ８）が設定されている場合、後方向キー２３を１回操作する毎に順次、Ｂａｎｄ１、Ｂａｎｄ２、……、Ｂａｎｄ８、Ｂａｎｄ１、……と選択され、前方向キー２４を１回操作する毎に順次、Ｂａｎｄ８、Ｂａｎｄ７、……、Ｂａｎｄ１、Ｂａｎｄ８、……と選択される。また、表示切替キー２５は、本発明に関連する機能として、各周波数帯域毎のレベル設定状態を表示するＥＱカーブ表示と、各周波数帯域での信号レベルをリアルタイムで表示するスペアナ表示とを切り替える際に用いられる。
【００２１】
なお、図３に示す実施形態では、操作部１３を構成する各種の操作キー２１〜２９をヘッドユニットの操作パネル１５上に配列した場合を例にとって説明したが、操作部１３の形態はこれに限定されないことはもちろんであり、例えば、リモコン送信器の形態であってもよい。この場合には、図２に示す構成において制御部１１と操作部１３（リモコン送信器）との間に、当該リモコン送信器から送信された操作指示を受信し、制御部１１に送信するためのインタフェースとしての通信手段を設ける必要がある。
【００２２】
図４は操作パネル１５の表示部１４に表示される設定画面の一例を示したものである。図示の例では、再生中のソースから出力されたオーディオ信号を受信している状態で、ユーザによる操作部１３の操作（この場合、調整モード設定キー２６、周波数帯域表示キー２２の操作）に基づいて制御部１１が設定した８つの周波数帯域（Ｂａｎｄ１〜Ｂａｎｄ８）の各周波数帯域毎にレベルを調整するための設定画面１４ａを表示した場合の一例を示している。
【００２３】
この設定画面１４ａに対し、後方向キー２３又は前方向キー２４を操作することで、Ｂａｎｄ１〜Ｂａｎｄ８のうちいずれかの周波数帯域が選択される。特に図示はしていないが、いずれかの周波数帯域が選択されたときに、当該周波数帯域のレベル表示の部分を、他の周波数帯域のレベル表示の部分とは異なる表示態様（例えば、相対的に目立つ色の表示態様、点滅態様など）で表示するようにしてもよい。いずれかの周波数帯域を選択した状態で、ジョグダイヤル２７を右方向あるいは左方向に回すと、その操作量に応じて設定コマンダＣＭが当該周波数帯域のレベル表示（図示の例では、＋１０ｄＢ〜−１０ｄＢ）上を上方向あるいは下方向に移動し、これによって当該周波数帯域のレベル（音量）を上昇あるいは下降させることができる。
【００２４】
以下、本実施形態に係るグラフィックイコライザ１０の動作について、その動作フローの一例を示す図５を参照しながら説明する。
【００２５】
先ず、最初のステップＳ１では、ユーザによる操作部１３（ヘッドユニットの操作パネル１５）の操作（この場合、調整モード設定キー２６、周波数帯域表示キー２２の操作）に基づいて制御部１１により、操作パネル１５の表示部１４に、図４の画面表示例に示したようなグラフィックイコライザ調整用の設定画面１４ａを表示する。
【００２６】
次のステップＳ２では、制御部１１において、ユーザによる操作部１３（ヘッドユニットの操作パネル１５）の操作（この場合、後方向キー２３又は前方向キー２４の操作）に基づいて、設定画面１４ａに表示されている複数の周波数帯域（この場合、Ｂａｎｄ１〜Ｂａｎｄ８）のうちいずれかの周波数帯域が選択された（ＹＥＳ）か否（ＮＯ）かを判定する。判定結果がＹＥＳの場合にはステップＳ３に進み、判定結果がＮＯの場合には当該判定処理を繰り返す。
【００２７】
次のステップＳ３では、制御部１１からの制御に基づいてイコライザ部１２により、当該選択された周波数帯域に含まれるオーディオ信号成分を抽出し、その抽出したオーディオ信号成分のみを一定時間（例えば、５秒程度、１０秒程度など）、アンプ２を通してスピーカ３から音声出力させる。この音声出力により、ユーザは、当該周波数帯域がレベル調整の対象とする音域を含んでいるのかどうかを判別することができる。
【００２８】
また、このとき、制御部１１からの制御に基づいて表示部１４の設定画面１４ａ上で、当該周波数帯域が選択状態にある旨の表示を行うようにしてもよい。例えば、当該選択された周波数帯域のレベル表示の部分を、相対的に目立つ色の表示態様、点滅態様などで表示する。
【００２９】
次のステップＳ４では、制御部１１からの制御に基づいてイコライザ部１２により、全周波数帯域（Ｂａｎｄ１〜Ｂａｎｄ８）に含まれるオーディオ信号成分を抽出し、その抽出した全てのオーディオ信号成分を合成して音声出力させる。
【００３０】
次のステップＳ５では、制御部１１において、操作部１３（ヘッドユニットの操作パネル１５）を介してレベル調整に係る操作（この場合、ジョグダイヤル２７の回転操作）が行われた（ＹＥＳ）か否（ＮＯ）かを判定する。判定結果がＹＥＳの場合には本動作フローは「終了」となり、判定結果がＮＯの場合にはステップＳ２に戻って上記の処理を繰り返す。
【００３１】
次に、上記の動作フロー（図５）について、その具体例を示す図６〜図８を参照しながら補足説明する。図６〜図８に示す例では、図１に例示した８つの周波数帯域（Ｂａｎｄ１〜Ｂａｎｄ８）に対し、そのレベル調整の対象としてＢａｎｄ４に含まれる「トランペット」の音を調整する場合を例にとっている。
【００３２】
先ず、ヘッドユニットをグラフィックイコライザ調整モードにして（ステップＳ１）、Ｂａｎｄ１を選択すると（ステップＳ２）、Ｂａｎｄ１以外の周波数帯域（Ｂａｎｄ２〜Ｂａｎｄ８）が一定時間マスキングされる。図６は、その「マスキング」の処理をイメージ的に示したものである。ここでいう「マスキング」とは、以下の記載においても同様であるが、当該周波数帯域（図６の例では、Ｂａｎｄ２〜Ｂａｎｄ８）に含まれるオーディオ信号成分を抽出せずにカットすること、すなわち、スピーカ３から「音声出力させないこと」をいう。
【００３３】
図６の例では、選択したＢａｎｄ１に含まれるオーディオ信号成分のみが一定時間音声出力され（ステップＳ３）、Ｂａｎｄ４に含まれる「トランペット」の音はマスキングされているため、スピーカ３からは音声出力されず、ユーザには聴こえない。従って、選択したＢａｎｄ１は、調整すべき周波数帯域（すなわち、ユーザがレベル調整の対象としている「トランペット」の音域を含むＢａｎｄ４）ではないと判別することができる。
【００３４】
次に、Ｂａｎｄ２を選択すると、同様にして図７にイメージ的に示すように、Ｂａｎｄ２以外の周波数帯域（Ｂａｎｄ１、Ｂａｎｄ３〜Ｂａｎｄ８）が一定時間マスキングされる。この場合も、「トランペット」の音はマスキングされているため、ユーザには聴こえない。従って、選択したＢａｎｄ２は、Ｂａｎｄ１と同様に、調整すべき周波数帯域ではないと判別することができる。
【００３５】
このような操作を繰り返して、Ｂａｎｄ４を選択すると、同様にして図８にイメージ的に示すように、Ｂａｎｄ４以外の周波数帯域（Ｂａｎｄ１〜Ｂａｎｄ３、Ｂａｎｄ５〜Ｂａｎｄ８）が一定時間マスキングされる。この場合、選択したＢａｎｄ４に「トランペット」の音域が含まれているので、その「トランペット」の信号成分が抽出されて、スピーカ３から一定時間聴こえてくる。従って、選択したＢａｎｄ４は、レベル調整の対象としている周波数帯域であると判別することができる。このようにして、ユーザは、スピーカ３から一定時間出力される音声を聴くことで、レベル調整したい周波数帯域を見つけることができる。
【００３６】
非選択の周波数帯域の音声が一定時間マスキングされた後は、通常の音声出力に戻るため（ステップＳ４）、レベル調整に係る操作は、従来と同様に全周波数帯域の音声を聴きながら行うことができる（ステップＳ５）。この場合、現在選択されているＢａｎｄ４のレベルを調整することで、「トランペット」の音を調整することができる。
【００３７】
以上説明したように、本実施形態に係るグラフィックイコライザ１０によれば、選択された周波数帯域に含まれるオーディオ信号成分のみを一定時間音声出力するようにしているので（ステップＳ３）、ユーザは、その音声を聴くことで、従来のように設定画面を見なくても自分が選択した周波数帯域を認識することができる。また、その音声を聴くことで、当該周波数帯域内のどのあたりの音声のレベルが変化するかを認識できるので、当該周波数帯域がレベル調整の対象とする音域を含んでいるのかどうかを判別し易くなる。その結果、従来技術に見られたようなレベル調整の際の試行錯誤を減らすことができ、ユーザにとって煩わしい作業を軽減することが可能となる。
【００３８】
また、レベル調整を行うにあたり、従来のように設定画面の確認による「視覚」に基づいた調整ではなく、スピーカ３からの音声出力による「聴覚」に基づいた調整としているので、本実施形態のように車載用に適用した場合には安全性の面で大いに有利である。
【００３９】
上述した実施形態では、グラフィックイコライザ１０が車載用オーディオ装置（ヘッドユニット）内に組み込まれている場合を例にとって説明したが、本発明の要旨から明らかなように、必ずしもオーディオ装置内に組み込む必要がないことはもちろんである。例えば、グラフィックイコライザ１０を適用するオーディオ装置とは別体で、かつ当該オーディオ装置と協働するように設けてもよい。
【００４０】
また、上述した実施形態では、グラフィックイコライザ１０を車載用に適用した場合を例にとって説明したが、本発明は車載用に限定されず、一般的なオーディオ装置に広く適用可能であることはもちろんである。
【図面の簡単な説明】
【００４１】
【図１】オーディオ再生周波数帯域内に設定された複数の周波数帯域と楽器等のオーディオソースの音域との対応関係を示す図である。
【図２】本発明の一実施形態に係るグラフィックイコライザの構成を概略的に示すブロック図である。
【図３】図２のグラフィックイコライザを車載用オーディオ装置のヘッドユニットに適用した場合の操作パネルの構成を概略的に示す正面図である。
【図４】操作パネルの表示部に表示される設定画面の一例を示す図である。
【図５】図２のグラフィックイコライザの動作の一例を示すフロー図である。
【図６】図５の動作フローを補足説明するための図（その１）である。
【図７】図５の動作フローを補足説明するための図（その２）である。
【図８】図５の動作フローを補足説明するための図（その３）である。
【符号の説明】
【００４２】
１…オーディオソース、
３…スピーカ、
１０…グラフィックイコライザ、
１１…制御部、
１２…イコライザ部、
１３…操作部、
１４…表示部、
１４ａ…設定画面、
１５…操作パネル、
２３，２４…後方向／前方向キー（周波数帯域の選択キー）、
２６…グラフィックイコライザ調整モードの設定キー、
２７…ジョグダイヤル（周波数帯域のレベルの調整キー）、
ＣＭ…設定コマンダ。
【図１】
2005175562.tif 000003
【図２】
2005175562.tif 000004
【図３】
2005175562.tif 000005
【図４】
2005175562.tif 000006
【図５】
2005175562.tif 000007
【図６】
2005175562.tif 000008
【図７】
2005175562.tif 000009
【図８】
2005175562.tif 000010